(57)【要約】【課題】操作子を、中間部材を要さず、操作子支持体だけで、４点での押し込み操作可能に支持することができて、使用部品点数の削減、コストの低減ができるようにする。【解決手段】軸部８，９の突出方向と直交する方向の２点においては、操作子３を押し込み操作したときに、操作子３が両側の軸部８，９周りと長孔４０，４１の内周部とを摺接させて該軸部８，９を中心に回動し、軸部８，９の突出方向の２点においては、操作子３を押し込み操作したときに、操作子３が押し込み側とは反対側における軸部９と長孔４１との接触部Ｓを支点に、押し込み側の軸部８に対する長孔４０の余裕長で押し込まれて回動する。かくして、操作子３を操作子支持体７だけで４点での押し込み操作可能に支持できるものであり、従来のもののような中間部材を必要としないので、使用部品点数の削減、コストの低減ができる。【選択図】図１
2012079656.tif 000002
【特許請求の範囲】
【請求項１】
操作子と、操作子支持体とを具備し、
それら操作子と操作子支持体とのうちの一方の部材に、操作子の一方向又はそれと直交する他方向の両側に位置してそれぞれ突出する軸部を設け、
前記操作子と操作子支持体とのうちの他方の部材に、前記操作子の一方向又は他方向の両側に位置して前記軸部の直径より操作子の押し込み方向に長い長孔を設け、
それら軸部と長孔とを嵌合し、
前記操作子を前記押し込み方向とは逆の方向に付勢する付勢手段を具えたことを特徴とする操作装置。
【発明の詳細な説明】
【技術分野】
【０００１】
本発明は、操作子を４点での押し込み操作可能に支持する構造を改良した操作装置に関する。
【背景技術】
【０００２】
従来より、例えば車両のステアリングホイールでオーディオやテレフォン機能の操作に用いられる操作装置として、操作子を例えば上下左右の４点での押し込み操作可能に設けたものが供されている。
このものにおいては、操作子が操作子支持体に中間部材を介して上記４点での押し込み操作可能に支持されている。詳細には、操作子が中間部材に例えば上下の２方向での押し込み操作可能に支持され、そして、中間部材が操作子支持体に残る左右の２方向での押し込み操作可能に支持されており、その組み合わせで操作子が上記４点での押し込み操作可能に支持されている（例えば特許文献１参照）。
【先行技術文献】
【特許文献】
【０００３】
【特許文献１】実用新案登録第３１５３３７１号公報
【発明の概要】
【発明が解決しようとする課題】
【０００４】
しかしながら、上記従来のものによると、操作子を４点での押し込み操作可能に支持するのに、操作子支持体だけでなく、中間部材が必要であり、その分、使用部品点数が多くて、コスト高となる欠点を有していた。
【０００５】
本発明は上述の事情に鑑みてなされたものであり、従ってその目的は、操作子を、中間部材を要さず、操作子支持体だけで、４点での押し込み操作可能に支持することができて、使用部品点数の削減、コストの低減ができる操作装置を提供するにある。
【課題を解決するための手段】
【０００６】
上記目的を達成するために、本発明の操作装置は、操作子と、操作子支持体とを具備し、それら操作子と操作子支持体とのうちの一方の部材に、操作子の一方向又はそれと直交する他方向の両側に位置してそれぞれ突出する軸部を設け、前記操作子と操作子支持体とのうちの他方の部材に、前記操作子の一方向又は他方向の両側に位置してそれぞれ前記軸部の直径より操作子の押し込み方向に長い長孔を設け、それら軸部と長孔とを嵌合し、前記操作子を前記押し込み方向とは逆の方向に付勢する付勢手段を具えたことを特徴とする。
【発明の効果】
【０００７】
上記手段によれば、軸部の突出方向と直交する方向の２点においては、操作子を押し込み操作したときに、操作子が両側の軸部周りと長孔の内周部とを摺接させて該軸部を中心に回動し、軸部の突出方向の２点においては、操作子を押し込み操作したときに、操作子が押し込み側とは反対側における軸部と長孔との接触部を支点に、押し込み側の軸部に対する長孔の余裕長で押し込まれて回動する。かくして、操作子を操作子支持体だけで４点での押し込み操作可能に支持することができるものであり、従来のもののような中間部材を必要としないので、使用部品点数の削減、コストの低減ができる。
【図面の簡単な説明】
【０００８】
【図１】本発明の第１実施例を１つの操作状態で示す図８相当図
【図２】他の操作状態で示す図８相当図
【図３】異なる操作状態で示す図７相当図
【図４】更に異なる操作状態で示す図７相当図
【図５】正面図
【図６】分解斜視図
【図７】図５のVII−VII線に沿う拡大断面図
【図８】図５のVIII−VIII線に沿う拡大断面図
【図９】図８のIX−IX線に沿う断面図
【発明を実施するための形態】
【０００９】
以下、本発明の一実施例（一実施形態）につき、図面を参照して説明する。
まず、図５には、操作装置の全容を正視して示しており、カバー１に開口部２が形成され、この開口部２から第１の操作子３が臨んでいる。又、第１の操作子３の中央部にも開口部４が形成されており、この開口部４から第２の操作子５が臨んでいる。この場合、開口部２、第１の操作子３、開口部４、及び第２の操作子５は、いずれも正面形が四角形を成している。
【００１０】
カバー１の後側には、図６、図７及び図８に示すボディ６が存在している。このボディ６は、上記第２の操作子５の後側部分に四角筒状の操作子支持体７を一体に形成して有しており、この操作子支持体７の一方向である、この場合、左右方向の両側の面には軸部８，９を突設している。軸部８，９は、基本的にはともに短円柱状を成すもので、それを各突出端側の前側で斜状に切除した形状に形成している。
【００１１】
又、上記ボディ６における操作子支持体７の上下方向の両側方位置と、左右方向の両側方位置には、それぞれ段付き円筒状のプッシャガイド部１０，１１，１２，１３を形成しており、このプッシャガイド部１０〜１３にはそれぞれプッシャ１４，１５，１６，１７を挿入している。プッシャ１４〜１７は、後端部につば部１４ａ〜１７ａを有する円柱状を成すもので、前端部がそれぞれプッシャガイド部１０〜１３から前方に突出している。
【００１２】
更に、ボディ６の後側には、ボディ６側にラバーシート１８を接合した回路基板１９を組み付けている。ラバーシート１８は、上記ボディ６のプッシャガイド部１０〜１３のそれぞれ後側に位置する部分と、それらの中央部とに、隆起部２０，２１，２２，２３，２４を有している。この隆起部２０〜２４は、それぞれ頭部２０ａ〜２４ａが厚肉であり、裾部２０ｂ〜２４ｂが薄肉で、可撓性を有しており、頭部２０ａ〜２４ａのそれぞれ後面部に可動側の接点２５，２６，２７，２８，２９を有している。
【００１３】
これに対して、回路基板１９は、上記ラバーシート１８の隆起部２０〜２４の頭部２０ａ〜２４ａのそれぞれ後側に位置する部分に、固定側のそれぞれ一対の接点３０，３１，３２，３３，３４を有しており、これらの固定側の接点３０〜３４は上記可動側の接点２５〜２９と対向している。なお、図６では、固定側の接点３０〜３４を省略して回路基板１９を図示している。
【００１４】
そして、前記第１の操作子３の裏面には、被支持部３５と押圧部３６，３７，３８，３９を一体に形成しており、そのうちの被支持部３５は、第１の操作子３の前記開口部４周りの部分から後方へ突出させて前記操作子支持体７より一回り大きな四角筒状に形成したもので、これの左右方向（一方向）の両側部に、長孔４０，４１と、それらのそれぞれ両側に位置する切り込み部４２（図９参照）とを形成し、更に、該被支持部３５の後端側内面部には全周にわたって斜面４３を形成している。
【００１５】
長孔４０，４１は、前記軸部８，９の直径より第１の操作子３の押し込み方向である前後方向に長いものであり、この長孔４０〜４１を、上記斜面４３から切り込み部４２による可撓性を利用して前記軸部８，９に嵌合し、第１の操作子３を前記カバー１の開口部２中に位置させている。
【００１６】
押圧部３６〜３９は、上記被支持部３５の上下方向の両側方位置と左右方向の両側方位置とにそれぞれボス状に突設したものであり、そのうちの押圧部３６の後端を前記プッシャ１４の前端に、押圧部３７の後端を前記プッシャ１５の前端に、押圧部３８の後端を前記プッシャ１６の前端に、押圧部３９の後端を前記プッシャ１７の前端に、それぞれ当接させている。
【００１７】
ここで、前記ラバーシート１８の隆起部２０〜２３は、上記プッシャ１４〜１７への押圧部３６〜３９の当接に対して、プッシャ１４〜１７の沈み込みを阻止するものであり、すなわち、第１の操作子３を前記押し込み方向とは逆の方向に付勢する付勢手段として機能するものであり、それによって第１の操作子３の前面を常時は前記カバー１の前面より若干突出する状態に保持するようになっている。
【００１８】
このほか、前記操作子支持体７の内面部に１か所には、図７に示すように突部４４を形成しており、それに対し、前記第２の操作子５には周側壁の対応個所に孔４５を形成していて、第２の操作子５を第１の操作子３の前記開口部４から操作子支持体７の内部に挿入することに併せ、上記突部４４に孔４５を係合させて抜け止めしている。
【００１９】
又、第２の操作子５は内部から後方へ押圧部４６をボス状に突設していて、この押圧部４６の後端を前記ラバーシート１８の隆起部２４の前端に当接させている。ここで又、上記隆起部２４は、押圧部４６の当接に対して、第２の操作子５の沈み込みを阻止するものであり、すなわち、第２の操作子５を押し込み方向（前後方向）とは逆の方向に付勢する付勢手段としても機能するものであり、それによって第２の操作子５の前面を常時は第１の操作子３の前面と面一な状態に保持するようになっている。
【００２０】
なお、第１の操作子３の前面には、図５及び図６に示すように、これの操作部を示す標示４７，４８，４９，５０を上下左右の４か所に設けている。
【００２１】
次に、上記構成のものの作用を述べる。
まず、第１の操作子３の軸部８,９の突出方向と直交する方向である上下方向の２点のうち、上部（標示４７の部分）を図３に矢印Ａで示すように前方から後方へ押し込み操作すると、第１の操作子３は両側の軸部８，９周り（後側）と長孔４０，４１の内周部（後側）とを摺接させて該軸部８，９を中心に図３で時計回り（矢印Ａ′）に回動し、それにより、押圧部３６でプッシャ１４を押し込み、ラバーシート１８の隆起部２０を押し込んで、可動側の接点２５を固定側の接点３０に接触させ、該固定側の接点３０間を可動側の接点２５で橋絡して導通させる。
【００２２】
それに対して、第１の操作子３の下部（標示４８の部分）を図４に矢印Ｂで示すように前方から後方へ押し込み操作すると、第１の操作子３は両側の軸部８，９周り（後側）と長孔４０，４１の内周部（後側）とを摺接させて該軸部８，９を中心に図４で反時計回り（矢印Ｂ′）に回動し、それにより、押圧部３７でプッシャ１５を押し込み、ラバーシート１８の隆起部２１を押し込んで、可動側の接点２６を固定側の接点３１に接触させ、該固定側の接点３１間を可動側の接点２６で橋絡して導通させる。
【００２３】
一方、第１の操作子３の軸部８，９の突出方向である左右方向の２点のうち、左部（標示４９の部分）を図１に矢印Ｃで示すように前方から後方へ押し込み操作すると、第１の操作子３は押し込み側とは反対側の右部側における軸部９と長孔４１との接触部Ｓを支点に、押し込み側（左部側）の軸部８に対する長孔４０の余裕長で押し込まれて、図１で反時計回り（矢印Ｃ′）に回動し、それにより、押圧部３８でプッシャ１６を押し込み、ラバーシート１８の隆起部２２を押し込んで、可動側の接点２７を固定側の接点３２に接触させ、該固定側の接点３２間を可動側の接点２７で橋絡して導通させる。
【００２４】
それに対して、第１の操作子３の軸部８，９の右部（標示５０の部分）を図２に矢印Ｄで示すように前方から後方へ押し込み操作すると、第１の操作子３は押し込み側とは反対側の左部側における軸部８と長孔４０との接触部Ｔを支点に、押し込み側（右部側）の軸部９に対する長孔４１の余裕長で押し込まれて、図２で時計回り（矢印Ｄ′）に回動し、それにより、押圧部３９でプッシャ１７を押し込み、ラバーシート１８の隆起部２３を押し込んで、可動側の接点２８を固定側の接点３３に接触させ、該固定側の接点３３間を可動側の接点２８で橋絡して導通させる。
【００２５】
なお、上記いずれの状態においても、操作を解除すれば、各部品はラバーシート１８の隆起部２０〜２３が圧縮された状態から復元することによる付勢力で復帰する。
【００２６】
このように上記構成のものでは、第１の操作子３を操作子支持体７だけで４点での押し込み操作可能に支持することができるものであり、従来のもののような中間部材を必要としないので、使用部品点数の削減、コストの低減ができる。
【００２７】
なお、以上に加えて、第２の操作子５を前方から後方へ押し込み操作すると、押圧部４６がラバーシート１８の隆起部２４を押し込んで、可動側の接点２９を固定側の接点３４に接触させ、該固定側の接点３４間を可動側の接点２９で橋絡して導通させるが、この第２の操作子５とそれに関連する構成は具えていなくても良い。
【００２８】
又、軸部８，９は操作子支持体７に設け、長孔４０，４１を第１の操作子３に設けるようにしても良い。更に、軸部８，９と長孔４０，４１は、第１の操作子３又は操作子支持体７に、第１の操作子３の上下方向の両側に位置して設けるようにしても良い。加えて、軸部８，９と長孔４０，４１は、第１の操作子３の斜め方向の両側に位置して設けるようにしても良く、第１の操作子３は上向きに設けるようにしても良い。
【００２９】
そして、第１の操作子３の操作対象は、固定側の接点３０〜３３に対する可動側の接点２５〜２８以外のものであっても良い。
そのほか、本発明は上記し且つ図面に示した実施例にのみ限定されるものではなく、要旨を逸脱しない範囲内で適宜変更して実施し得る。
【符号の説明】
【００３０】
図面中、３は第１の操作子（操作子）、７は操作子支持体、８，９は軸部、２０〜２３は隆起部（付勢手段）、４０，４１は長孔を示す。
【図１】
2012079656.tif 000003
【図２】
2012079656.tif 000004
【図３】
2012079656.tif 000005
【図４】
2012079656.tif 000006
【図５】
2012079656.tif 000007
【図６】
2012079656.tif 000008
【図７】
2012079656.tif 000009
【図８】
2012079656.tif 000010
【図９】
2012079656.tif 000011